(57)【要約】      （修正有）【課題】本発明は、複数の区画からなる地域の安全度を算出する装置等を提供する。【解決手段】複数の区画からなる任意の地域の安全度を算出する地域安全度評価装置（６）は、地域に含まれる区画それぞれについて、周囲長と、前記周囲長のうち公共空間に接している区間の長さである公接長とを取得する区画情報取得部（６５１）と、地域に含まれる区画それぞれについて、周囲長に対する公接長の比率に基づいて区画安全度を算出する区画安全度算出部（６５３）と、区画安全度の総和に基づいて地域の地域安全度を算出する地域安全度算出部（６５４）と、を備える。【選択図】図２
2019036035.tif 000002
【特許請求の範囲】
【請求項１】
複数の区画からなる任意の地域の安全度を算出する地域安全度評価装置であって、
前記地域に含まれる前記区画それぞれについて、周囲長と、前記周囲長のうち公共空間に接している区間の長さである公接長とを取得する区画情報取得部と、
前記地域に含まれる前記区画それぞれについて、前記周囲長に対する前記公接長の比率に応じた高さの区画安全度を算出する区画安全度算出部と、
前記区画安全度の総和に基づいて前記地域の地域安全度を算出する地域安全度算出部と、
を備えることを特徴とする地域安全度評価装置。
【請求項２】
前記区画情報取得部は、さらに前記区画における機械警備の導入計画の有無情報を取得し、
前記区画安全度算出部は、前記区画のうちの前記導入計画が有るとの情報が取得された前記区画の前記区画安全度を高く補正する、請求項１に記載の地域安全度評価装置。
【請求項３】
前記公共空間が前記区画の衆人環視に寄与する度合いを表した寄与度を取得する公共空間情報取得部をさらに備え、
前記区画安全度算出部は、前記寄与度に基づいて前記区画の前記区画安全度を補正する、請求項１又は２に記載の地域安全度評価装置。
【請求項４】
前記区画情報取得部は、さらに前記区画の高さと前記区画に隣接する公共空間の高さとの差を取得し、
前記公共空間情報取得部は、前記高さの差に基づいて前記寄与度を補正する、請求項３に記載の地域安全度評価装置。
【請求項５】
前記公共空間情報取得部は、さらに前記公共空間である道路に歩道橋が設置されているか否かに関する設置情報を取得し、前記歩道橋が設置されている公共空間の前記寄与度を高く補正する、請求項３又は４に記載の地域安全度評価装置。
【請求項６】
複数の区画からなる任意の地域の安全度を算出する地域安全度評価方法であって、
前記地域に含まれる前記区画それぞれについて、周囲長と、前記周囲長のうち公共空間に接している区間の長さである公接長とを取得し、
前記地域に含まれる前記区画それぞれについて、前記周囲長に対する前記公接長の比率に応じた高さの区画安全度を算出し、
前記区画安全度の総和に基づいて前記地域の地域安全度を算出する、
ことを特徴とする地域安全度評価方法。
【発明の詳細な説明】
【技術分野】
【０００１】
本発明は、複数の区画からなる地域の安全度を算出する装置および方法に関するものである。
【背景技術】
【０００２】
近年、住宅や宅地の購入者にとって当該住宅や宅地はもとより、それをとりまく地域の防犯レベルの高さが選定基準のひとつとなっており、分譲計画を行う側の者にとっても防犯レベルを客観的に評価して購入者に提供可能とすることが望まれている。
【０００３】
これに関連して、特許文献１には、建物の防犯レベルの指標のひとつとされる自然監視性を算出する防犯施設支援装置が提案されている。
【先行技術文献】
【特許文献】
【０００４】
【特許文献１】特開２０１１−２１０００６号公報
【発明の概要】
【発明が解決しようとする課題】
【０００５】
しかしながら、従来技術では、未だ建物が無い、或いは建物の設計が決まっていない分譲予定地域の評価が困難であった。また、従来技術では、複数の区画からなる分譲予定地域の評価方法が提供されていなかった。
【０００６】
本発明は、分譲予定地のように建物の情報が無く、複数の区画からなる地域の安全度を評価可能な地域安全度評価装置及び地域安全度評価方法を提供することを目的とする。
【課題を解決するための手段】
【０００７】
本発明に係る地域安全度評価装置は、複数の区画からなる任意の地域の安全度を算出する地域安全度評価装置であって、地域に含まれる区画それぞれについて、周囲長と、周囲長のうち公共空間に接している区間の長さである公接長とを取得する区画情報取得部と、地域に含まれる区画それぞれについて、周囲長に対する公接長の比率に応じた高さの区画安全度を算出する区画安全度算出部と、区画安全度の総和に基づいて地域の地域安全度を算出する地域安全度算出部と、を備える。これにより、地域安全度評価装置は、分譲予定地のように建物の情報が無く、複数の区画からなる地域の安全度を評価できる。
【０００８】
また、本発明に係る地域安全度評価装置において、区画情報取得部は、さらに区画における機械警備の導入計画の有無情報を取得し、区画安全度算出部は、区画のうちの導入計画が有るとの情報が取得された区画の区画安全度を高く補正することが好ましい。これにより、地域安全度評価装置は、機械警備の導入計画の有無を区画安全度に反映させることができる。
【０００９】
また、本発明に係る地域安全度評価装置において、公共空間が区画の衆人環視に寄与する度合いを表した寄与度を取得する公共空間情報取得部をさらに備え、区画安全度算出部は、寄与度に基づいて区画の区画安全度を補正することが好ましい。これにより、地域安全度評価装置は、区画安全度の算出において、衆人環視への寄与をより適切に反映できる。
【００１０】
また、本発明に係る地域安全度評価装置において、区画情報取得部は、さらに区画の高さと区画に隣接する公共空間の高さとの差を取得し、公共空間情報取得部は、高さの差に基づいて寄与度を補正することが好ましい。これにより、地域安全度評価装置は、区画が道路等より高いことによって道路等から区画内を十分視認できない区画について、より適切に区画安全度を算出できる。
【００１１】
また、本発明に係る地域安全度評価装置において、公共空間情報取得部は、さらに公共空間である道路に歩道橋が設置されているか否かに関する設置情報を取得し、歩道橋が設置されている公共空間の寄与度を高く補正することが好ましい。これにより、地域安全度評価装置は、歩道橋の通行人が道路より高い位置から区画を視認でき、衆人環視に寄与することを、道路の寄与度に適切に反映できる。
【００１２】
本発明に係る地域安全度評価方法は、複数の区画からなる任意の地域の安全度を算出する地域安全度評価方法であって、地域に含まれる区画それぞれについて、周囲長と、周囲長のうち公共空間に接している区間の長さである公接長とを取得し、地域に含まれる区画それぞれについて、周囲長に対する公接長の比率に応じた高さの区画安全度を算出し、区画安全度の総和に基づいて地域の地域安全度を算出する。これにより、地域安全度評価方法は、分譲予定地のように建物の情報が無く、複数の区画からなる地域の安全度を評価できる。
【発明の効果】
【００１３】
本発明によれば、分譲予定地のように建物の情報が無く、複数の区画からなる地域の安全度を評価できる。
【図面の簡単な説明】
【００１４】
【図１】（ａ）は評価対象である分譲予定地を示す平面図であり、（ｂ）は（ａ）の分譲予定地を示す斜視図である。
【図２】地域安全度評価装置６の概略構成の一例を示す図である。
【図３】記憶部６４が記憶する区画テーブルの一例を示す図である。
【図４】記憶部６４が記憶する公接長テーブルの一例を示す図である。
【図５】記憶部６４が記憶する公共空間テーブルの一例を示す図である。
【図６】ＧＵＩ処理部６５０が表示部６３に表示する画面の一例を示す図である。
【図７】処理部６５が地域安全度を算出する処理の一例を示すフローチャートである。
【図８】（ａ）は公共空間形状データの一例を示す図であり、（ｂ）は標高データの一例を示す図であり、（ｃ）は区画図形データの一例を示す図である。
【図９】ＧＩＳデータ取得部６５５を使用して公共空間テーブルを作成する手順を示す概念図である。
【図１０】ＧＩＳデータ取得部６５５を使用して区画テーブルを作成する手順を示す概念図である。
【図１１】ＧＩＳデータ取得部６５５を使用して公接長テーブルを作成する手順を示す概念図である。
【図１２】ＧＩＳデータ取得部６５５を使用して公接長テーブルに高さを入力する手順を示す概念図である。
【図１３】（ａ）は区画安全度を算出する区画及びその周辺を示す平面図であり、（ｂ）は（ａ）に示す施設・構造物を含む施設・構造物形状データの一例を示す図である。
【発明を実施するための形態】
【００１５】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１６】
＜第１実施形態＞
【００１７】
図１（ａ）は本実施形態の区画安全度評価装置による評価対象である分譲予定地を示す平面図であり、図１（ｂ）は図１（ａ）の分譲予定地を示す斜視図である。
【００１８】
図１（ａ）に示す様に、評価対象である分譲予定地は、個人宅として分譲が予定されている区画１〜４の４つの区画と、公共空間である１本の道路（道路１１）及び１つの公園（公園１２）とを含む。公共空間とは不特定の人が利用する空間であり、数区画の住人のみが使用する私道は公共空間に含まれない。分譲予定地の東側と南側には隣接する他の分譲予定地（斜線部）が存在する。図１（ｂ）に示す様に、区画１〜４及び公園１２は、道路１１より高さｈだけ高く造成されている。
【００１９】
図１（ａ）において、分譲予定地には地域を一意に識別する地域ＩＤ「Ａ１」が付与されている。区画１〜４には区画を一意に識別する区画ＩＤ「Ｂ１」〜「Ｂ４」が、道路１１及び公園１２には公共空間を一意に識別する公共空間ＩＤ「Ｐ１」及び「Ｐ２」がそれぞれ付与されている。Ａは道路１１の道路幅を示す。ａ〜ｄは区画１〜４がその北側で道路１１に接する部分の長さを示す。ｅは区画４の南北方向の長さを示し、ｆは区画３の南北方向に延びる辺のうち、隣接する他の分譲予定地に接する辺の長さを示す。ｃ＋ｄは区画３の東西方向に延びる辺のうち、隣接する他の分譲予定地に接する辺の長さと等しく、ｅ＋ｆは区画１の南北方向に延びる辺の長さと等しい。
【００２０】
本実施形態において地域の安全度を評価するために、寄与度、周囲長、公接長、区画安全度、地域安全度、環境評価値、及び地域評価値という用語を定義する。
【００２１】
寄与度とは、互いに異なる複数の公共空間のそれぞれが区画の衆人環視に寄与する度合いを示す。すなわち、公共空間の寄与度は、その公共空間があることにより周囲の目が分譲予定地域の区画に注がれて、公共空間が防犯に寄与する度合いを示す。寄与度は０以上１以下の値をとり、値が大きいほど公共空間が防犯に寄与する度合いが大きいことを示す。
【００２２】
周囲長とは、ある区画の周囲の長さを示す。図１の区画１の例では、東西方向の２辺の長さの和がａ＋ａ＝２ａ、南北方向の２辺の長さの和が（ｅ＋ｆ）＋（ｅ＋ｆ）＝２（ｅ＋ｆ）なので、周囲長は２ａ＋２（ｅ＋ｆ）である。
【００２３】
公接長とは、ある区画の周囲が公共空間に接している長さを示す。図１の区画１の例では、区画１は道路１１と東西方向に長さａ、南北方向に長さ（ｅ＋ｆ）で接するため、区画１の道路１１に対する公接長はａ＋ｅ＋ｆである。
【００２４】
区画安全度とは、ある区画の安全度を示す指標である。周囲長に対する公接長の比率が高いほど区画安全度が高いこと、すなわちその区画の安全度が高いことを示す。
【００２５】
地域安全度とは、地域の安全度を示す指標である。地域安全度は、その地域に存在する区画の区画安全度の総和に基づく値であり、値が大きいほどその地域の安全度が高いことを示す。
【００２６】
環境評価値とは、地域の防犯環境についての指標である。環境評価値は、その地域における街灯の設置状況、その地域におけるごみ集積所の管理状況など、複数の防犯環境項目についての評価結果をポイント化した値である。
【００２７】
地域評価値とは、地域安全度及び環境評価値に基づく、地域評価の総合的な指標である。
【００２８】
図２は、地域安全度評価装置６の概略構成の一例を示す図である。
【００２９】
地域安全度評価装置６は、例えばパーソナルコンピュータであり、所定のアプリケーションプログラムの実行等が可能である。地域安全度評価装置６は、複数の区画からなる任意の地域の安全度を算出できる。そのために、地域安全度評価装置６は、通信部６１、操作・入力部６２、表示部６３、記憶部６４、処理部６５等を備える。
【００３０】
通信部６１は、イーサネット（登録商標）などの通信インターフェース回路を有する。通信部６１は、図示しない通信ネットワークを介して、他のコンピュータ等と通信を行う。そして、通信部６１は、通信ネットワークを介して受信したデータを処理部６５に供給する。また、通信部６１は、処理部６５から供給されたデータを通信ネットワークを介して送信する。
【００３１】
操作・入力部６２は、地域安全度評価装置６の操作が可能であればどのようなデバイスでもよく、例えば、キーボード、マウス、タッチパッド等である。ユーザは、このデバイスを用いて、文字、数字等を入力したり、メニューを選択したりすることが可能である。操作・入力部６２は、ユーザの指示を受け付け、受け付けた指示に対応する信号を発生し、処理部６５に出力する。
【００３２】
表示部６３は、静止画像等の出力が可能であればどのようなデバイスでもよく、例えば、タッチパネル式の表示装置、液晶ディスプレイ、有機ＥＬ（Electro−Luminescence）ディスプレイ、ＣＲＴ（Cathode Ray Tube）ディスプレイ等である。表示部６３は、処理部６５から供給されるデータに応じた静止画像データに応じた静止画像等を表示する。例えば、表示部６３は、処理部６５から入力される地域安全度及びＧＵＩ（Graphical User Interface）を表示して、評価者による評価の際に使用される。
【００３３】
記憶部６４は、例えば、半導体メモリ、磁気ディスク装置及び光ディスク装置のうちの少なくとも一つを有する。記憶部６４は、処理部６５による処理に用いられるドライバプログラム、オペレーティングシステムプログラム、アプリケーションプログラム、データ等を記憶する。
【００３４】
例えば、記憶部６４は、ドライバプログラムとして、通信部６１を制御する通信デバイスドライバプログラム等を記憶する。また、記憶部６４は、オペレーティングシステムプログラムとして、ドライバプログラムやアプリケーションプログラムに応じて処理部６５等を制御する制御プログラム等を記憶する。また、記憶部６４は、アプリケーションプログラムとして、各種データの入出力や送受信を行うデータ処理プログラム等を記憶する。これらのコンピュータプログラムは、例えばＣＤ−ＲＯＭ（Compact Disk Read Only Memory）、ＤＶＤ−ＲＯＭ（Digital Versatile Disk Read Only Memory）等のコンピュータ読み取り可能な可搬型記録媒体から、公知のセットアッププログラム等を用いて記憶部６４にインストールされてもよい。
【００３５】
例えば、記憶部６４は、区画テーブル、公接長テーブル、公共空間テーブル等を記憶する。これらのテーブルの詳細は、図３〜図５により説明される。
【００３６】
図３は、記憶部６４が記憶する区画テーブルの一例を示す図である。
【００３７】
区画テーブルは、各区画の属性を記憶するテーブルである。図３に示す様に、区画テーブルには、地域ＩＤ、区画ＩＤ、区画名、周囲長、機械警備システム導入フラグ等が関連付けて記憶される。区画名は区画に付した名称であり、図１の分譲予定地の例では「区画１」〜「区画４」に対応する。
【００３８】
機械警備システム導入フラグは、その区画に機械警備システムが導入される予定か否かを示すフラグであり、１は導入予定があり、０は導入予定がないことを示す。機械警備システムとは、例えば、区画内にセンサなどの機械を設置し、建造物侵入や火災等の異常をセンサが検知すると遠隔地のコントロールセンターへ通知し、コントロールセンターが警備員を当該区画へ急行させることを可能とするためのシステムである。
【００３９】
図４は、記憶部６４が記憶する公接長テーブルの一例を示す図である。
【００４０】
公接長テーブルは、各区画の公接長を記憶するテーブルである。図４に示す様に、公接長テーブルには、区画ＩＤ、公共空間ＩＤ、公接長等が関連付けて記憶される。
【００４１】
公接長テーブルには、さらに区画の高さと、区画に隣接する公共空間の高さとの差が記憶されてもよい。例えば、図４に示す公接長テーブルの１番目のレコードの例は、区画ＩＤが「Ｂ１」の区画（区画１）は、公共空間ＩＤが「Ｐ１」の公共空間（道路１１）より１ｍ高いことを示す（高さｈ＝１ｍ）。２番目のレコードの例は、区画ＩＤが「Ｂ１」の区画（区画１）と、公共空間ＩＤが「Ｐ２」の公共空間（公園１２）の高さは等しいことを示す（高さｈ＝０ｍ）。
【００４２】
区画テーブル及び公接長テーブルにおいて、周囲長、公接長及び高さの単位は等しいことが好ましい。単位は、分譲予定地における実際の長さであってもよいし、紙の又は電子的な図面に記載した際の図面上の長さであってもよい。単位は、絶対値であっても、相対値であってもよい。
【００４３】
図５は、記憶部６４が記憶する公共空間テーブルの一例を示す図である。
【００４４】
公共空間テーブルは、寄与度を公共空間毎に記憶するテーブルである。公共空間テーブルには、公共空間ＩＤ、公共空間名、寄与度等が関連付けて記載される。公共空間名とは、公共空間を人間が識別しやすいように付された名称であり、図１の道路１１、公園１２等は公共空間名の例である。
【００４５】
例えば、図５に示す公共空間テーブルの１番目のレコードの例は、公共空間ＩＤが「Ｐ１」に対応するデータの公共空間名は「道路１１」、寄与度は「ｗ１」であることを示す。
【００４６】
区画情報テーブルと公共空間テーブルとは、例えばリレーショナルデータベースによって関連付けられて記憶部６４に記憶されてもよい。
【００４７】
図２に戻って、処理部６５は、一又は複数個のプロセッサ及びその周辺回路を有する。処理部６５は、地域安全度評価装置６の全体的な動作を統括的に制御するものであり、例えば、ＣＰＵ（Central Processing Unit）、ＤＳＰ（Digital Signal Processor）、ＭＣＵ（Micro Control Unit）等の演算装置で構成される。処理部６５は、地域安全度評価装置６の各種処理が、記憶部６４に記憶されているプログラム、操作・入力部６２の操作等に応じて適切な手順で実行されるように、通信部６１、表示部６３等の動作を制御する。
【００４８】
処理部６５は、記憶部６４に記憶されているプログラム（ドライバプログラム、オペレーティングシステムプログラム、アプリケーションプログラム等）を読み出して処理を実行することにより、各種処理手段・制御手段として動作する。処理部６５は、必要に応じて各種データを記憶部６４から読み出し、また、生成したデータを記憶部６４に記憶させる。処理部６５は、複数のプログラム（アプリケーションプログラム等）を並列に実行することが可能である。
【００４９】
処理部６５は、ＧＵＩ処理部６５０、区画情報取得部６５１、公共空間情報取得部６５２、区画安全度算出部６５３、地域安全度算出部６５４、ＧＩＳデータ取得部６５５等を有する。処理部６５が有するこれらの各部は、処理部６５が有するプロセッサ上で実行されるプログラムによって実装される機能モジュールである。あるいは、処理部６５が有するこれらの各部は、独立した集積回路、マイクロプロセッサ、又はファームウェアとして地域安全度評価装置６に実装されてもよい。
【００５０】
（ＧＵＩ処理部）
ＧＵＩ処理部６５０は、区画情報取得部６５１、公共空間情報取得部６５２、区画安全度算出部６５３、地域安全度算出部６５４等から出力されるデータを表示部６３に表示する。また、ＧＵＩ処理部６５０は、区画情報取得部６５１、公共空間情報取得部６５２、区画安全度算出部６５３、地域安全度算出部６５４等にデータを入力するための画面を表示部６３に表示し、操作・入力部６２から入力されるデータを各部に供給する。
【００５１】
図６は、ＧＵＩ処理部６５０が表示部６３に表示する画面の一例である。区画情報取得部６５１等がこの画面を使用して行う動作は後述する。
【００５２】
（区画情報取得部）
区画情報取得部６５１は、地域に含まれる区画それぞれについて、周囲長、周囲長のうち公共空間に接している区間の長さである公接長等を取得して、記憶部６４に記憶する。区画情報取得部６５１は、さらに区画それぞれにおける機械警備の導入計画の有無情報を取得して、記憶部６４に記憶してもよい。
【００５３】
区画情報取得部６５１は、ある地域（図６の例では「地域１」）の区画に関するレコードを、図３に示す区画テーブルに作成する。区画情報取得部６５１は、図６に示す区画名欄、周囲長欄、機械警備導入計画欄に入力される値を、図３に示す区画テーブルの上記レコードの区画名欄、周囲長欄、機械警備システム導入フラグ欄にそれぞれ入力する。なお、区画情報取得部６５１は、図６に示す機械警備導入計画欄で「あり」が選択されると上記レコードの機械警備システム導入フラグ欄に「１」を入力し、「なし」が選択されると「０」を入力する。区画情報取得部６５１は、入力された区画名（例えば「区画１」）を一意に識別可能な区画ＩＤの値を決定し、決定した値を区画テーブルの上記レコードの区画ＩＤ欄に入力する。
【００５４】
また、区画情報取得部６５１は、ある区画（図６の例では「区画１」等）とその区画に隣接する公共空間（図６の例では区画１に隣接する「道路１１」）とに関するレコードを、公接長テーブルに作成する。区画情報取得部６５１は、公接長欄のうち左欄（図６では「道路１１」と記載されている欄）で選択される公共空間名に対応する公共空間ＩＤの値を公共空間テーブルから取得し、公接長テーブルの上記レコードの公共空間ＩＤ欄に入力する。区画情報取得部６５１は、図６に示す公接長欄のうち右欄（空欄）に入力される値を、公接長テーブルの上記レコードの公接長欄に入力する。
【００５５】
図６には表示されていないが、ＧＵＩ処理部６５０は、区画の高さと、その区画に隣接する公共空間の高さとの差を入力するための表示を表示部６３に行ってもよい。区画情報取得部６５１は、これに対応して操作・入力部６２から入力された区画の高さと公共空間の高さとの差を取得し、公接長テーブルの該当するレコードの高さ欄に入力してもよい。
【００５６】
また、区画情報取得部６５１及びＧＵＩ処理部６５０は、図６のように区画名を表示及び入力することに代えて、区画ＩＤを表示及び入力可能としてもよい。この場合、区画テーブルは区画名を記憶しなくてもよい。
【００５７】
（公共空間情報取得部）
公共空間情報取得部６５２は、少なくとも対象地域のいずれかの区画が接する公共空間の情報（公共空間情報）を取得して、記憶部６４に記憶する。例えば、公共空間情報取得部６５２は公共空間の寄与度を取得して、記憶部６４に記憶する。
【００５８】
公共空間情報取得部６５２は、ある地域（図６の例では「地域１」）の公共空間に関するレコードを、図５に示す公共空間テーブルに作成する。公共空間情報取得部６５２は、図６の公共空間名欄及び係数欄に入力される値を、それぞれ図５の公共空間テーブルの公共空間名欄及び寄与度欄に入力する。公共空間情報取得部６５２は、公共空間テーブルに記憶された公共空間名（例えば「道路１１」）を一意に識別可能な公共空間ＩＤの値を決定し、決定した値を公共空間テーブルの上記レコードの公共空間ＩＤ欄に入力する。
【００５９】
また、公共空間情報取得部６５２及びＧＵＩ処理部６５０は、評価者に寄与度の値を入力させることに代えて、予め定めた選択肢を表示部６３に表示し、評価者が入力又は選択した選択肢に基づいて寄与度の値を算出し、公共空間テーブルに入力してもよい。例えば、公共空間情報取得部６５２は、「人通りの多い５ｍ道路」、「見通しが良く利用者の多い公園」など、道路幅、人通り／利用者の多さ、遮蔽物の少なさという観点で分類した選択肢と、寄与度の値とを関連付けて記憶する。そして、評価者が操作・入力部６２を使用して選択肢を入力又は選択すると、公共空間情報取得部６５２は、入力又は選択された選択肢に関連付けられた寄与度を選択し、公共空間テーブルの該当するレコードの寄与度欄に入力してもよい。
【００６０】
この場合、公共空間情報取得部６５２は、選択肢と寄与度の値との対応付けにおいて、道路の幅が広いほど高い寄与度に設定しても、道路の人通りが多いほど高い寄与度に設定しても、この両者を加味した寄与度に設定してもよい。また、公共空間情報取得部６５２は、選択肢と寄与度の値との対応付けにおいて、公園の利用者が多いほど高い寄与度に設定しても、草木等の遮蔽物が少なく見通しが良いほど高い寄与度に設定してもよい。
【００６１】
また、公共空間情報取得部６５２は、公接長テーブルに記憶される高さ（区画の高さと、区画に隣接する公共空間の高さとの差）に基づいて寄与度を設定又は補正してもよい。例えば、公共空間情報取得部６５２は、区画の高さがその区画に隣接する公共空間の高さより所定の値（例えば１ｍ）以上高い場合、衆人環視が期待できないため、所定の値未満高い場合より公共空間の寄与度の値を低く設定してもよい。
【００６２】
また、公共空間情報取得部６５２及びＧＵＩ処理部６５０は、図６のように公共空間名を表示及び入力することに代えて、公共空間ＩＤを表示及び入力可能としてもよい。この場合、公共空間テーブルは公共空間名を記憶しなくてもよい。
【００６３】
（区画安全度算出部）
区画安全度算出部６５３は、地域に含まれる区画それぞれについて、周囲長に対する公接長の比率に応じた高さの区画安全度を算出する。区画安全度算出部６５３は、寄与度に基づいて区画のそれぞれの区画安全度を補正してもよい。
【００６４】
区画安全度を算出する式の一例を以下に示す。
区画安全度＝｛［Σ（公共空間の寄与度×当該公共空間に対する区画の公接長）］／区画の周囲長｝＋Ｓ        （１）
但し、
・［Σ（公共空間の寄与度×当該公共空間に対する区画の公接長）］は、対象となる区画が接している公共空間すべてについて（公共空間の寄与度×当該公共空間に対する区画の公接長）の和をとることを示す。
・Ｓは機械警備導入システムフラグ（機械警備を導入予定：０＜Ｓ＜１（通常はＳ＝０．５）、導入予定なし：Ｓ＝０）。
・式（１）の値が１を超える場合、区画安全度＝１。
【００６５】
前述した式（１）からわかる通り、区画安全度算出部６５３は、他の条件が同一であれば、寄与度が高いほど高い区画安全度を算出し、区画の周囲長に対する区画の公接長の比率が高いほど高い区画安全度を算出する。また、区画安全度算出部６５３は、機械警備の導入計画の有無情報に基づいて区画のそれぞれの区画安全度を補正してもよい。具体的には、区画安全度算出部６５３は、区画ごとの区画安全度のうち機械警備の導入計画があるとの情報が取得された区画の区画安全度を高く補正してもよい。また、区画安全度算出部６５３は、機械警備の導入計画がないとの情報が取得された（あるいは導入計画の情報が取得されない）区画の区画安全度は補正しない。
【００６６】
例えば、図１（ａ）の分譲予定地の区画１の例では、道路（「道路１１」）の寄与度をｗ１、公園（「公園１２」）の寄与度をｗ２とすると、区画安全度算出部６５３は、式（２）のように区画安全度を算出できる。
区画安全度＝｛｛［ｗ１×（ａ＋ｅ＋ｆ）］＋［ｗ２×（ｅ＋ｆ）］｝／［２ａ＋２（ｅ＋ｆ）］｝＋Ｓ        （２）
【００６７】
道路は公園より衆人環視に寄与するため、区画安全度算出部６５３は、式（２）における道路の寄与度ｗ１を公園の寄与度ｗ２以上の値とすることが好ましい。また、道路の幅は広いほど衆人環視への寄与の度合いが大きいため、区画安全度算出部６５３は、道路の幅が大きくなるほどｗ１の値を大きくすることが好ましい。これを考慮したｗ１、ｗ２の値の例を表１に示す。
【００６８】
【表１】
2019036035.tif 000003
【００６９】
（地域安全度算出部）
地域安全度算出部６５４は、算出された区画安全度の総和に基づく代表値を地域の地域安全度として算出する。地域安全度を算出する式の一例を以下に示す。
地域安全度＝［Σ（区画の区画安全度）］／区画数        （３）
式（３）から分かる通り、地域安全度は区画安全度の平均値を表す。なお、地域安全度として、区画安全度の平均値の代わりに最頻値または中央値を求めてもよい。
【００７０】
地域安全度算出部６５４は、地域評価値を算出してもよい。地域評価値を算出する式の一例を以下に示す。
地域評価値＝地域安全度＋環境評価値        （４）
【００７１】
環境評価値は、通常、地域安全度評価装置６とは異なる評価装置により算出され、その算出結果が地域安全度評価装置６の記憶部６４に記憶される。
【００７２】
地域評価値の算出において、地域安全度及び環境評価値にそれぞれα（０．０＜α＜１．０）、β（０．０＜β＜１．０）の重みをかけて、以下の式（５）によって地域評価値を算出してもよい。
地域評価値＝（α×地域安全度）＋（β×環境評価値）        （５）
この際、α＋β＝１．０となるようにα、βの値を定めることが好ましい。
【００７３】
（地域安全度評価装置の動作）
図７は、処理部６５が地域安全度を算出する処理の一例を示すフローチャートである。以下、図７に示したフローチャートを参照しつつ、本実施形態による地域安全度評価装置の動作を説明する。なお、以下に説明する動作のフローは、記憶部６４に記憶され、処理部６５に読み込まれたプログラムに従って、処理部６５により実行される。
【００７４】
最初に、ＧＵＩ処理部６５０、区画情報取得部６５１、公共空間情報取得部６５２、区画安全度算出部６５３、地域安全度算出部６５４は、初期処理を行う（Ｓ１０１）。例えば、ＧＵＩ処理部６５０は、操作・入力部６２から入力される地域名に基づいて、当該地域に属する区画の情報を区画テーブル等から読み出し、区画名等を表示した画面を作成する。また例えば、ＧＵＩ処理部６５０は、過去にデータが入力されていない地域名が操作・入力部６２から入力された場合、少なくとも１つの区画の入力ができる入力画面を作成する。
【００７５】
次に、ＧＵＩ処理部６５０は、Ｓ１０１で作成した画面を表示部６３に表示し、周囲長、警備導入計画の有無、公接長、公共空間情報等の入力待ち状態となる（Ｓ１０２）。ＧＵＩ処理部６５０は、操作・入力部６２から評価者による入力を検出すると、周囲長又は警備導入計画の有無が入力されたか否かを判定する（Ｓ１０３）。
【００７６】
周囲長又は警備導入計画の有無が入力された場合（Ｓ１０３のＹ）、区画情報取得部６５１は、入力された値を区画テーブルの該当するレコードのそれぞれの欄に入力し、区画テーブルを更新する（Ｓ１０４）。例えば、操作・入力部６２から、図６の区画名欄が「区画１」の欄の周囲長が入力された場合、区画情報取得部６５１は、区画テーブルの区画名欄が「区画１」のレコードの周囲長欄に、操作・入力部６２により入力された値を入力し、区画テーブルを更新する。
【００７７】
次に、区画安全度算出部６５３は、区画テーブルに記憶される周囲長及び機械警備システム導入フラグと、公接長テーブルに記憶される公接長と、公共空間テーブルに記憶される寄与度とに基づいて、区画安全度を算出する（Ｓ１０９）。この際、区画安全度算出部６５３は、Ｓ１０３で周囲長又は警備導入計画の有無が入力された区画の区画安全度を少なくとも算出する。また、区画安全度算出部６５３は、区画安全度の算出に式（１）又は式（２）を使用でき、算出した区画安全度を区画ＩＤ又は区画名と対応付けて記憶部６４に記憶する。
【００７８】
次に、地域安全度算出部６５４は、区画安全度算出部６５３が算出した区画安全度を含む該当地域の全区画の区画安全度と、該当地域の区画数とに基づいて、地域安全度を算出する（Ｓ１１０）。地域安全度算出部６５４は、地域安全度の算出に式（３）を使用でき、算出した地域安全度を地域ＩＤ又は地域名と対応付けて記憶部６４に記憶する。
【００７９】
次に、地域安全度算出部６５４は、環境評価値が記憶部６４に記憶されているか否かを判定する（Ｓ１１１）。環境評価値が記憶部６４に記憶されている場合（Ｓ１１１のＹ）、地域安全度算出部６５４は、Ｓ１１０で算出した地域安全度と、記憶されている環境評価値とに基づいて、地域評価値を算出する（Ｓ１１２）。地域安全度算出部６５４は、地域評価値の算出に式（４）又は式（５）を使用でき、算出した地域評価値を地域ＩＤと対応付けて記憶部６４に記憶する。環境評価値が記憶部６４に記憶されていない場合（Ｓ１１１のＮ）、地域安全度算出部６５４は、地域評価値を算出しない。
【００８０】
次に、地域安全度算出部６５４は、Ｓ１１０で算出した地域安全度をＧＵＩ処理部６５０へ入力する。地域安全度算出部６５４は、Ｓ１１２を実行した場合はＳ１１２で算出した地域評価値もＧＵＩ処理部６５０へ入力する。ＧＵＩ処理部６５０は、地域安全度（と地域評価値）を反映させた画面を作成し、表示部６３に表示する（Ｓ１１３）。これにより、ＧＵＩ処理部６５０は、最新の入力データに応じた最新の地域安全度（と地域評価値）を表示できる。次に、ＧＵＩ処理部６５０はＳ１０２の入力待ちの状態に戻る。
【００８１】
Ｓ１０３において周囲長及び警備導入計画の有無が入力されなかったと判定された場合（Ｓ１０３のＮ）、ＧＵＩ処理部６５０は、公接長が入力されたか否かを判定する（Ｓ１０５）。
【００８２】
公接長が入力された場合（Ｓ１０５のＹ）、区画情報取得部６５１は、入力された値を公接長テーブルの該当するレコードの公接長の欄に入力し、公接長テーブルを更新する（Ｓ１０８）。例えば、操作・入力部６２から、図６の区画名欄が「区画１」、かつ、公接長欄のうち左欄に表示される公共空間名が「道路１１」の欄の公接長が入力される。この場合、区画情報取得部６５１は、公接長テーブルの区画ＩＤ欄が「Ｂ１」（「区画１」に対応）、かつ、公共空間ＩＤ欄が「Ｐ１」（「道路１１」に対応）のレコードの公接長欄に、操作・入力部６２により入力された値を入力し、公接長テーブルを更新する。
【００８３】
次にＳ１０９の処理が実行されるが、Ｓ１０９〜Ｓ１０２の入力待ちの状態に戻るまでの処理は、Ｓ１０４で区画テーブルを更新した際の処理と同じため、記載を省略する。
【００８４】
Ｓ１０５において公接長が入力されなかったと判定された場合（Ｓ１０５のＮ）、ＧＵＩ処理部６５０は、公共空間情報が入力されたか否かを判定する（Ｓ１０７）。
【００８５】
公共空間情報が入力された場合（Ｓ１０７のＹ）、公共空間情報取得部６５２は、入力された値を公共空間テーブルの該当するレコードの寄与度欄に入力し、公共空間テーブルを更新する（Ｓ１０８）。例えば、操作・入力部６２から、図６の公共空間名欄が「道路１１」の欄の係数が入力された場合、公共空間情報取得部６５２は、公共空間テーブルの公共空間名欄が「道路１１」のレコードの寄与度欄に、操作・入力部６２により入力された値を入力する。そして、公共空間情報取得部６５２は公共空間テーブルを更新する。
【００８６】
次にＳ１０９の処理が実行されるが、Ｓ１０９〜Ｓ１０２の入力待ちの状態に戻るまでの処理は、Ｓ１０４で区画テーブルを更新した際の処理と同じため、記載を省略する。
【００８７】
Ｓ１０７において公共空間情報が入力されなかったと判定された場合（Ｓ１０７のＮ）、ＧＵＩ処理部６５０は、区画の追加又は削除が指定されたか否かを判定する（Ｓ１１４）。
【００８８】
区画の追加が指定された場合（Ｓ１１４のＹ）、区画情報取得部６５１は、区画テーブルに新しい区画に対応するレコードを追加する（Ｓ１１５）。区画の削除が指定された場合（Ｓ１１４のＹ）、区画情報取得部６５１は、区画テーブルから該当する区画に対応するレコードを削除する（Ｓ１１５）。いずれの場合も、ＧＵＩ処理部６５０は、追加又は削除した後の状態に対応する画面を作成し、表示部６３に表示する。次に、ＧＵＩ処理部６５０はＳ１０２の入力待ちの状態に戻る。
【００８９】
Ｓ１１４において区画の追加が指定されなかったと判定された場合（Ｓ１１４のＮ）、区画情報取得部６５１及びＧＵＩ処理部６５０はＳ１１５の処理を実行せず、ＧＵＩ処理部６５０はＳ１０２の入力待ちの状態に戻る。以上により、処理部６５が地域安全度を算出する処理の説明は終了する。
【００９０】
以上説明してきたように、地域安全度評価装置６は、地域に含まれる区画それぞれについて、周囲長と、周囲長のうち公共空間に接している区間の長さである公接長とを取得する。そして、地域安全度評価装置６は、地域に含まれる区画それぞれについて、周囲長に対する公接長の比率が高いほど高い区画安全度を算出し、区画安全度の総和に基づいて地域の地域安全度を算出する。これにより、分譲予定地のように建物の情報が無く、複数の区画からなる地域の安全度を評価できる。
【００９１】
＜第１変形例＞
以下、図８〜図１２を用いて、第１変形例について説明する。第１変形例では、区画テーブル、公共空間テーブル、公接長テーブルを、ＧＩＳ（Geographic Information System）のデータに基づいて作成する。第１変形例における地域安全度評価装置６の構成及び他の処理フローは、記憶部６４が図８に示すデータを有し、図７のＳ１０１の前に図９〜図１２の処理が実行されることを除き、第１実施形態と同じである。
【００９２】
図８（ａ）は公共空間形状データの一例を示す図であり、（ｂ）は標高データの一例を示す図であり、（ｃ）は区画形状データの一例を示す図である。
【００９３】
公共空間形状データは、道路、公園などの公共空間の形状を示すＧＩＳのデータである。図８（ａ）に示す様に、公共空間形状データには、公共空間種別、公共空間名、経度・緯度で表現される複数の座標等が関連付けて記憶される。公共空間種別は、公共空間の種類を示す識別子であり、例えば「道路」、「公園」等の値をとる。公共空間名は、公共空間の名称である。座標は、公共空間の平面座標であり、３つ以上の座標により多角形を表現する。多角形は、隣接する座標同士の間の直線と、最後の座標（図示しない座標ｍ等）と最初の座標（座標１）との間の直線により表現される。座標値は経度・緯度で表現されるが、紙の又は電子的な図面に記載した際の図面上の座標値で表現されてもよい。
【００９４】
標高データは、座標位置の標高を示すＧＩＳのデータである。図８（ｂ）に示す様に、標高データには、経度・緯度で表現される座標、その座標における標高等が関連付けて記憶される。
【００９５】
これらのＧＩＳデータとは別に、記憶部６４は、各区画の形状を示す区画形状データを記憶する。図８（ｃ）に示す様に、区画形状データには、区画名、経度・緯度で表現される複数の座標等が関連付けて記憶される。
【００９６】
（ＧＩＳデータ取得部）
ＧＩＳデータ取得部６５５は、公共空間形状データ、標高データ、区画形状データ等に基づいて、区画情報取得部６５１及び公共空間情報取得部６５２と共に公共空間テーブル、公接長テーブル、及び区画テーブルのレコードを作成する。以下の説明においては、区画テーブルに入力される地域ＩＤの値として、予め「Ａ１」が付与されているものとする。
【００９７】
図９は、ＧＩＳデータ取得部６５５を使用して公共空間テーブルを作成する手順を示す概念図である。
【００９８】
最初に、ＧＩＳデータ取得部６５５は、公共空間形状データから最初のレコード（公共空間名が「道路１１」のレコード）を取得する。次に、公共空間情報取得部６５２は、ＧＩＳデータ取得部６５５が取得した公共空間名（「道路１１」）と同一の公共空間名を有する新たなレコードを、公共空間テーブルに作成する（Ｓ２０１）。この際、公共空間情報取得部６５２は、公共空間名「道路１１」と１：１に対応する公共空間ＩＤの値を決定し、作成したレコードの公共空間ＩＤ欄に入力する（Ｓ２０２）。
【００９９】
ＧＩＳデータ取得部６５５及び公共空間情報取得部６５２は、公共空間形状データに残るレコードについてＳ２０１〜Ｓ２０２の処理を行う。以上により、公共空間テーブルを作成する手順は完了する。なお、公共空間テーブルの寄与度は、ＧＵＩ処理部６５０及び公共空間情報取得部６５２により入力される。
【０１００】
図１０は、ＧＩＳデータ取得部６５５を使用して区画テーブルを作成する手順を示す概念図である。
【０１０１】
最初に、ＧＩＳデータ取得部６５５は、区画形状データから最初のレコード（区画名が「区画１」のレコード）を取得する。次に、区画情報取得部６５１は、ＧＩＳデータ取得部６５５が取得した区画名（「区画１」）と同一の区画名を有するレコードを、区画テーブルに作成する（Ｓ３０１）。この際、区画情報取得部６５１は、区画名「区画１」と１：１に対応する区画ＩＤの値を決定し、作成したレコードの区画ＩＤ欄に入力する（Ｓ３０２）。
【０１０２】
次に、ＧＩＳデータ取得部６５５は、区画形状データの区画名が「区画１」のレコードの隣接する座標の値から、隣接する座標の間の距離を算出する。ＧＩＳデータ取得部６５５は、座標１と座標２との間の距離、座標２と座標３との間の距離のように隣接する座標間の距離を算出し、座標（ｎ−１）と座標ｎとの間の距離を算出し、さらに、座標ｎと座標１との間の距離を算出する。次に、ＧＩＳデータ取得部６５５は、算出した距離の総和をとり、区画情報取得部６５１は、ＧＩＳデータ取得部６５５が算出した距離の総和を、区画テーブルの区画名が「区画１」のレコードの周囲長欄に入力する（Ｓ３０３）。
【０１０３】
ＧＩＳデータ取得部６５５及び区画情報取得部６５１は、区画形状データに残るレコードについてＳ３０１〜Ｓ３０３の処理を行う。以上により、区画テーブルを作成する手順は完了する。なお、区画テーブルの機械警備システム導入フラグは、ＧＵＩ処理部６５０及び区画情報取得部６５１により入力される。
【０１０４】
図１１は、ＧＩＳデータ取得部６５５を使用して公接長テーブルを作成する手順を示す概念図である。この手順は区画テーブル及び公共空間テーブルが作成された後に実行される。
【０１０５】
最初に、ＧＩＳデータ取得部６５５は、区画形状データから１つのレコードを選択し、３つ以上の座標からなる多角形を抽出する（Ｓ４０１）。次に、ＧＩＳデータ取得部６５５は、公共空間形状データから１つのレコードを選択し、３つ以上の座標からなる多角形を抽出する（Ｓ４０２）。次に、ＧＩＳデータ取得部６５５は、区画の多角形と公共空間の多角形とが接するか否かを判定する。両者が接しない場合、ＧＩＳデータ取得部６５５は、区画形状データのレコード及び公共空間形状データのレコードの少なくとも一方を変えながら、区画の多角形と公共空間の多角形とが接する組み合わせを抽出する。
【０１０６】
ＧＩＳデータ取得部６５５が、区画の多角形と公共空間の多角形とが接する組み合わせを抽出した場合（Ｓ４０３）、区画情報取得部６５１は、その区画形状データのレコードの区画名欄の値をキーとして区画テーブルから区画ＩＤの値を抽出する（Ｓ４０４）。公共空間情報取得部６５２は、その公共空間形状データのレコードの公共空間名欄の値をキーとして公共空間テーブルから公共空間ＩＤの値を抽出する（Ｓ４０５）。次に、区画情報取得部６５１は、公接長テーブルにレコードを新設し、Ｓ４０４で抽出した区画ＩＤの値をそのレコードの区画ＩＤ欄に、Ｓ４０５で抽出した公共空間ＩＤの値をそのレコードの公共空間ＩＤ欄に入力する（Ｓ４０６、Ｓ４０７）。
【０１０７】
次に、ＧＩＳデータ取得部６５５は、Ｓ４０３で検出した区画の多角形と公共空間の多角形とが接する長さの総和を、両者の座標データに基づいて算出する。区画情報取得部６５１は、算出された値を、Ｓ４０６で区画ＩＤの値を入力したレコードの公接長欄に入力する（Ｓ４０８）。
【０１０８】
ＧＩＳデータ取得部６５５は、区画の多角形と公共空間の多角形とが接するか否かを判定していない組み合わせがあれば、区画情報取得部６５１及び公共空間情報取得部６５２と共に、Ｓ４０１〜Ｓ４０８の処理を実行する。両者の組み合わせがなくなれば、ＧＩＳデータ取得部６５５は処理を終了する。以上により、公接長テーブルを作成する手順は終了する。
【０１０９】
図１２は、ＧＩＳデータ取得部６５５を使用して公接長テーブルに高さを入力する手順を示す概念図である。この手順は区画テーブル、公共空間テーブル、及び公接長テーブルが作成された後に実行される。
【０１１０】
最初に、区画情報取得部６５１は、公接長テーブルから１つのレコードを選択する（Ｓ５０１）。区画情報取得部６５１は、当該レコードの区画ＩＤ欄の値をキーとして、区画テーブルから区画名を抽出する（Ｓ５０２）。ＧＩＳデータ取得部６５５は、区画情報取得部６５１が抽出した区画名をキーとして（Ｓ５０３）、区画形状データから区画の多角形を抽出する（Ｓ５０４）。ＧＩＳデータ取得部６５５は、標高データから、抽出した多角形の範囲内の座標値を有するレコードを抽出し、その標高値を取得する（Ｓ５０５）。ＧＩＳデータ取得部６５５は、取得した標高値に基づいてＳ５０４で抽出した多角形の標高値を算出する（Ｓ５０６）。例えば、ＧＩＳデータ取得部６５５は、Ｓ５０５で取得された標高値が１つであれば、その値をその区画の標高値とし、取得された標高値が複数であれば、それらの平均値をその区画の標高値とする。
【０１１１】
次に、公共空間情報取得部６５２は、Ｓ５０１で選択されたレコードの公共空間ＩＤ欄の値をキーとして、公共空間テーブルから公共空間名を抽出する（Ｓ５０７）。ＧＩＳデータ取得部６５５は、抽出した公共空間名をキーとして（Ｓ５０８）、公共空間形状データから公共空間の多角形を抽出する（Ｓ５０９）。ＧＩＳデータ取得部６５５は、標高データから、抽出した多角形の範囲内の座標値を有するレコードを抽出し、その標高値を取得する（Ｓ５１０）。ＧＩＳデータ取得部６５５は、取得した標高値に基づいてＳ５０９で抽出した多角形の標高値を算出する（Ｓ５１１）。例えば、ＧＩＳデータ取得部６５５は、Ｓ５１０で取得された標高値が１つであれば、その値をその公共空間の標高値とし、取得された標高値が複数であれば、それらの平均値をその公共空間の標高値とする。
【０１１２】
次に、ＧＩＳデータ取得部６５５は、Ｓ５０６で算出した区画の標高値からＳ５１１で算出した公共空間の標高値を引いた差を算出し、区画情報取得部６５１は、算出された値をＳ５０１で選択した公接長テーブルのレコードの高さ欄に入力する（Ｓ５１２）。ＧＩＳデータ取得部６５５は、区画情報取得部６５１及び公共空間情報取得部６５２と共に、公接長テーブルの残りのレコードについてＳ５０１〜Ｓ５１２の処理を行う。以上により、公接長テーブルに高さを入力する手順は終了する。
【０１１３】
図９〜図１２を用いて説明したように、公共空間形状データ、標高データ、区画形状データ等のＧＩＳデータを使用して、公共空間テーブル、公接長テーブル、区画テーブルを作成することにより、地域安全度評価装置６は、評価者による入力作業を軽減できる。
【０１１４】
＜第２変形例＞
以下、図１３を用いて、第２変形例について説明する。第２変形例では、区画の近隣に存在する施設及び構造物の存在を加味して、その区画の区画安全度を評価する。第２変形例における地域安全度評価装置６の構成は、記憶部６４が図１３（ｂ）に示すデータを有する点を除き、第１実施形態と同じである。第２変形例における地域安全度評価装置６の動作フローは、公共空間情報取得部６５２及びＧＵＩ処理部６５０が、評価者が入力又は選択した選択肢に基づいて寄与度の値を算出する際に以下の処理を反映させることを除き、第１実施形態と同じである。
【０１１５】
図１３（ａ）は区画安全度を算出する区画及びその周辺を示す平面図である。
【０１１６】
図１３（ａ）に示す様に、区画安全度の算出対象である区画５は、図１（ａ）に示す地域の東方で図１（ａ）に示す道路１１と接する。区画５は、道路１１を挟んでマンションＡと向かい合い、区画５に面する部分の道路１１には、歩道橋Ｂが設置されている。区画５の東端から東側に５００ｍの距離には、地下鉄駅Ｃが存在する。
【０１１７】
図１３（ｂ）は図１３（ａ）に示す施設・構造物を含む施設・構造物形状データの一例を示す図である。
【０１１８】
施設・構造物形状データは、地域に設置される施設、構造物等と、その形状とを示すＧＩＳのデータである。図１３（ｂ）に示す様に、施設・構造物形状データには、施設・構造物種別、施設・構造物名、経度・緯度で表現される座標等が関連付けて記憶される。施設・構造物形状データは、施設、構造物等の設置情報の一種である。
【０１１９】
施設・構造物種別は、施設・構造物の種類を示す情報であり、例えば「集合住宅」、「歩道橋」、「駅」等の値をとる。集合住宅とは、一つの建物の中に、複数の世帯が入居している住宅の形態を示し、本明細書においては２階建て以上のものを示す。施設・構造物名称は、施設・構造物の名称である。座標は、施設・構造物の平面座標であり、３つ以上の座標により多角形を表現する。多角形は、隣接する座標同士の間の直線と、最後の座標（図示しない座標ｍ等）と最初の座標（座標１）との間の直線により表現される。座標値は経度・緯度で表現されるが、紙の又は電子的な図面に記載した際の図面上の座標値であってもよい。
【０１２０】
公共空間情報取得部６５２は、施設・構造物形状データ（設置情報）を取得し、施設・構造物形状データに基づいて寄与度を補正することができる。例えば、公共空間情報取得部６５２は、評価者が入力又は選択した選択肢に基づいて寄与度の値を算出する際に、以下の規則を適用することができる。
【０１２１】
例えば、公共空間情報取得部６５２は、区画（区画５）と道路（道路１１）との接する部分において、道路の向かい側に集合住宅（マンションＡ）が存在する場合、集合住宅が存在しない場合より道路の寄与度を高くする。これは、集合住宅の住人がより高い位置から区画５を視認でき、衆人環視に寄与することを、道路１１の寄与度に反映させるものである。なお、集合住宅は、道路と接していてもよいし、集合住宅と道路との間に他の施設及び構造物がなければ、道路から数ｍ（例えば５ｍ程度）離れていてもよい。なお、区画と集合住宅との間に公園が存在する場合、公園の寄与度を、集合住宅が存在しない場合より高くしてもよい。
【０１２２】
また、公共空間情報取得部６５２は、区画（区画５）と道路（道路１１）との接する部分において、道路に歩道橋（歩道橋Ｂ）が設置されている場合、他の条件が同一であれば、歩道橋が設置されていない場合より道路の寄与度を高く設定する。これにより、歩道橋の通行人が道路より高い位置から区画を視認でき、衆人環視に寄与することを、道路の寄与度に反映できる。
【０１２３】
また、公共空間情報取得部６５２は、区画（区画５）の端から道路（道路１１）沿いに所定の距離（例えば５００ｍ）以内に駅（地下鉄駅Ｃ）が存在する場合、駅が存在しない場合より道路の寄与度を高く設定する。これにより、駅の乗降客が衆人環視に寄与することを、道路の寄与度に反映させることができる。この場合、公共空間情報取得部６５２は、区画と駅との距離が長くなるにつれて寄与度が低くなるように設定してもよい。例えば、区画から駅までの距離が１００ｍ以下、１００ｍを越え２００ｍ以下、２００ｍを越え３００ｍ以下、のように、所定の距離（５００ｍ）を１００ｍ単位で区切り、区画から駅までの距離が長くなるにつれて寄与度が低くなるように設定してもよい。
【０１２４】
図１３を用いて説明したように、区画の近隣に存在する施設及び構造物の存在を加味して、その区画の区画安全度を評価することにより、地域安全度評価装置６は、区画安全度の評価をより適切に実行できる。
【０１２５】
以上説明してきたように、地域安全度評価装置６は、地域に含まれる区画それぞれについて、周囲長に対する公接長の比率に基づいて区画安全度を算出し、区画安全度の総和に基づいて地域の地域安全度を算出する。これにより、分譲予定地のように建物の情報が無く、複数の区画からなる地域の安全度を評価できる。
【０１２６】
なお、本発明は、本実施形態に限定されるものではない。例えば、本実施形態では、公共空間形状データを複数の座標からなる多角形のデータとしたが、これに代えて、道路等と区画等との境界を示す線のデータとしてもよい。道路等を線のデータとしても、ＧＩＳデータ取得部６５５は区画の周囲が公共空間に接している長さを算出でき、公接長を算出できる。
【０１２７】
当業者は、本発明の精神及び範囲から外れることなく、様々な変更、置換及び修正をこれに加えることが可能であることを理解されたい。
【符号の説明】
【０１２８】
６    地域安全度評価装置
６４    記憶部
６５１    区画情報取得部
６５２    公共空間情報取得部
６５３    区画安全度算出部
６５４    地域安全度算出部
【図１】
2019036035.tif 000004
【図２】
2019036035.tif 000005
【図３】
2019036035.tif 000006
【図４】
2019036035.tif 000007
【図５】
2019036035.tif 000008
【図６】
2019036035.tif 000009
【図７】
2019036035.tif 000010
【図８】
2019036035.tif 000011
【図９】
2019036035.tif 000012
【図１０】
2019036035.tif 000013
【図１１】
2019036035.tif 000014
【図１２】
2019036035.tif 000015
【図１３】
2019036035.tif 000016